(57)【要約】【課題】尾冠を比較的強固に軸筒に固定するとともに、その尾冠を比較的容易に軸筒から取外す。また、尾冠の取付け及び取外しを繰り返しても、尾冠を軸筒に取付ける強度が弱まることを防止する。【解決手段】軸筒１１の円筒状に形成された後部周囲に係止孔１２が形成され、軸筒の後端より軸筒の後部に挿入される断面円形の挿入部２２が尾冠２１に形成され、挿入部の外周に係止孔に係止する係止突起２４が形成され、軸筒の後端より係止突起が移動する凹溝１３が前方に延びて軸筒の後部内面に形成され、凹溝を前方に移動した係止突起を係止孔に係止させることにより尾冠を軸筒に取付ける。凹溝を前方に移動した係止突起が円周方向に移動して係止孔に係止するように係止孔が凹溝に隣接して形成される。凹溝の係止孔側における側部底面に長手方向に伸びる凸条１４が形成され、係止突起は凸条を乗り越えて円周方向に移動するように構成される。【選択図】  図１
2008093843.tif 000002
【特許請求の範囲】
【請求項１】
軸筒の円筒状に形成された後部周囲に係止孔が形成され、前記軸筒の後端より前記軸筒の後部に挿入される断面円形の挿入部が尾冠に形成され、前記挿入部の外周に前記係止孔に係止する係止突起が形成され、前記軸筒の後端より前記係止突起が移動する凹溝が前方に延びて前記軸筒の後部内面に形成され、前記凹溝を前方に移動した前記係止突起を前記係止孔に係止させることにより前記尾冠を前記軸筒に取付ける構造において、
前記凹溝を前方に移動した前記係止突起が円周方向に移動して前記係止孔に係止するように前記係止孔が前記凹溝に隣接して形成された
ことを特徴とする筆記具用尾冠の取付構造。
【請求項２】
凹溝の係止孔側における側部底面に長手方向に伸びる凸条が形成され、係止突起は前記凸条を乗り越えて円周方向に移動するように構成された請求項１記載の筆記具用尾冠の取付構造。
【請求項３】
係止突起に凸条との接触を避ける低段部が形成された請求項２記載の筆記具用尾冠の取付構造。
【請求項４】
挿入部が円筒状に形成され、前記挿入部の前端から切り込みが後方に延びて形成された請求項１ないし３いずれか１項に記載の筆記具用尾冠の取付構造。
【請求項５】
凹溝に連続する切り欠きが軸筒の後端に形成された請求項１ないし４いずれか１項に記載の筆記具用尾冠の取付構造。
【請求項６】
係止突起が係止孔に係止した状態で軸筒の後端に前端が当接する大径部が挿入部と同軸に前記挿入部に連続して形成され、前記大径部の前端が前記軸筒の後端に当接した状態で切り欠きを覆う覆い部が前記大径部に形成された請求項５記載の筆記具用尾冠の取付構造。
【請求項７】
係止突起を覆うクリップが尾冠に設けられた請求項１ないし６いずれか１項に記載の筆記具用尾冠の取付構造。
【発明の詳細な説明】
【技術分野】
【０００１】
本発明は、ボールペン、シャープペンシル等の筆記具における軸筒に尾冠を取付ける筆記具用尾冠の取付構造に関するものである。
【背景技術】
【０００２】
従来の筆記具における尾冠の取付構造は、軸筒の後部周囲に係止孔を形成し、その軸筒の後端より軸筒の後部に挿入される断面円形の挿入部を尾冠に形成し、その挿入部を軸筒の後端より挿入して係止突起を係止孔に係止させることにより尾冠を軸筒に取付ける構造が知られている。しかし、上記した従来の筆記具用尾冠の取付構造では、挿入部を軸筒の後端より挿入すると、尾冠の挿入部の周囲に形成された係止突起が軸筒の内面に押し付けられるので、その係止突起が摩耗したり変形してしまい、軸筒の係止孔に確実に係止できないという心配があった。
【０００３】
この点を解消するために、軸筒の後端より係止突起が移動する凹溝を係止孔より長手方向後方に分離して軸筒の後部内面に形成した構造が提案されている（例えば、特許文献１参照。）。そして、この尾冠の取付構造では、尾冠の係止突起の高さを軸筒の後部内面に形成された凹溝の深さより小さく構成している。このような筆記具用尾冠の取付構造では、係止突起が軸筒の凹溝内を前方に移動する時、係止突起の高さが凹溝の深さより小さいので、係止突起が強い力で凹溝内面に押圧されることがなく、係止突起は軸筒の凹溝前端からその長手方向前方に位置する係止孔までの間の部分のみで押圧されるため、係止突起が摩耗したり変形する心配がない。このため、係止突起を確実に係止孔に係止させることができ、これにより尾冠を強固に軸筒に固定することができるとしている。
【特許文献１】特開２００４−９８４３４号公報（明細書［０００６］、［００１２］、図１）
【発明の開示】
【発明が解決しようとする課題】
【０００４】
しかし、近年では、軸筒に取付けた尾冠を再びその軸筒から取外すことが要求され始めている。即ち、近年の資源有効活用の観点から、筆記具がボールペンであれば、軸筒の後部からボールペンレフィールの交換を可能として、ボールペンレフィールの交換のために従来必要とされた軸筒の前端における特別な軸筒開放機構を不要とする考え方がある。また、筆記具がシャープペンシルであれば、軸筒の後部に取付けられた尾冠をその後部から取外して、換え芯の供給を軸筒の後部から行うようなことが要求されている。
ここで、尾冠を軸筒に固定する係止突起は、その後端面が係止孔の前方に臨む後面に面接触することによりその係止孔に係止して尾冠が軸筒に対して後方に移動することを防止している。そして、上記従来の尾冠の取付構造では凹溝を係止孔より長手方向後方に分離して形成しているので、尾冠を軸筒から取外すにはその係止突起を軸筒の内側に押し込んだ後に尾冠を軸筒の長手方向後方に移動させる必要があるけれども、係止孔に係止させた係止突起を軸筒の内側に押し込むこと自体が困難で、尾冠の取外しが困難になる不具合があった。
【０００５】
また、凹溝を係止孔より長手方向後方に分離して形成している上記従来の尾冠の取付構造では、尾冠の取付け及び取外しが繰り返されると、係止突起が軸筒の内側に十分に押し込まれることなく尾冠が後方に移動させられる場合も生じ得る。すると、係止突起が樹脂等からなるような場合には、係止孔の後面又はその後面に面接触する係止突起の後端面が丸みを帯びるように変形し、係止突起が係止孔に係止する力が徐々に弱まって、尾冠を軸筒に強固に取付けられなくなる不具合もある。
本発明の目的は、尾冠を比較的強固に軸筒に固定するとともに、その尾冠を比較的容易に軸筒から取外すことができる筆記具用尾冠の取付構造を提供することにある。
本発明の別の目的は、尾冠の取付け及び取外しを繰り返しても、尾冠を軸筒に取付ける強度が弱まることを防止し得る筆記具用尾冠の取付構造を提供することにある。
【課題を解決するための手段】
【０００６】
請求項１に係る発明は、図１に示すように、軸筒１１の円筒状に形成された後部周囲に係止孔１２が形成され、軸筒１１の後端１１ａより軸筒の後部に挿入される断面円形の挿入部２２が尾冠２１に形成され、挿入部２２の外周に係止孔１２に係止する係止突起２４が形成され、軸筒１１の後端１１ａより係止突起２４が移動する凹溝１３が前方に延びて軸筒１１の後部内面に形成され、凹溝１３を前方に移動した係止突起２４を係止孔１２に係止させることにより尾冠２１を軸筒１１に取付ける構造の改良である。
その特徴ある構成は、凹溝１３を前方に移動した係止突起２４が円周方向に移動して係止孔１２に係止するように係止孔１２が凹溝１３に隣接して形成されたところにある。
【０００７】
この請求項１に記載された筆記具用尾冠の取付構造では、係止突起２４が凹溝１３の内部で移動するように尾冠２１の挿入部２２を後端１１ａより軸筒１１の後部に挿入し、係止突起２４を凹溝１３の内部で係止孔に１２に隣接させ、その状態で、軸筒１１の中心軸を回転中心として軸筒１１又は尾冠２１を回転させることにより係止突起２４を円周方向に移動させるだけの比較的簡単な作業で係止突起２４を係止孔１２に係止させることができる。
【０００８】
一方、係止突起２４が係止孔１２に係止している状態から、軸筒１１の中心軸を回転中心として軸筒１１又は尾冠２１を逆方向に回転させると、係止突起２４は円周方向に移動して係止孔１２から凹溝１３に戻る。このため、比較的容易に係止突起２４が係止孔１２に係止している状態を解消させることができる。よって、この状態から尾冠２１を後方に移動させると係止突起２４を凹溝１３の内部で後方に移動させることができ、これにより比較的容易に尾冠２１を軸筒１１から取外すことができる。
【０００９】
また、この請求項１に記載された発明では、係止突起２４を円周方向に移動させて係止孔１２に係止させ、逆方向の円周方向に移動させてその係止状態を解消させるものであるので、尾冠２１の取付け及び取外しを繰り返しても、係止孔１２の後面１２ａ及び係止状態でその後面１２ａに面接触する係止突起２４の後端面２４ａが丸みを帯びるように変形することはない。このため、尾冠２１の取付け及び取外しを繰り返しても、尾冠２１の軸筒１１に取付ける強度が弱まることはない。
【００１０】
請求項２に係る発明は、請求項１に係る発明であって、凹溝１３の係止孔１２側における側部底面に長手方向に伸びる凸条１４が形成され、係止突起２４は凸条１４を乗り越えて円周方向に移動するように構成されたことを特徴とする。
この請求項２に記載された筆記具用尾冠の取付構造では、尾冠２１の取付け及び取外しの際に、係止突起２４は凸条１４を乗り越えるので、その取付け及び取外しの際に必要な係止突起２４の円周方向への移動に対して節度感を持たせることができ、係止突起２４を係止孔１２に係止させた状態と、その係止状態を解消させた状態を明確に区別させることができる。
【００１１】
請求項３に係る発明は、請求項２に係る発明であって、係止突起２４に凸条１４との接触を避ける低段部２４ｂが形成されたことを特徴とする。
この請求項３に記載された筆記具用尾冠の取付構造では、尾冠２１の取付け及び取外しの際に、係止突起２４は凹溝１３の内部を前方又は後方に移動するけれども、そのときに凸条１４が係止突起２４に当接して摩耗するような事態を回避することができる。このため、取付け及び取外しのための係止突起２４の円周方向への移動を繰り返しても、その円周方向への移動に対する節度感が変化するような事態を回避することができる。
【００１２】
請求項４に係る発明は、請求項１ないし３いずれか１項に係る発明であって、挿入部２２が円筒状に形成され、挿入部２２の前端２２ａから切り込み２７が後方に延びて形成されたことを特徴とする。
この請求項４に記載された筆記具用尾冠の取付構造では、係止突起２４が凸条１４を乗り越える時に加わる外圧や、図４に示すように凹溝１３の深さが係止突起２４の高さより低く形成されたような場合等に切り込み２７の幅は狭められ、これにより円筒状の挿入部２２の外径を減少させることができる。この結果、凹溝１３の底面に凸条１４を形成した場合では、係止突起２４が凸条１４を比較的スムーズに乗り越えることができ、係止突起２４の円周方向の移動を比較的容易にするとともに、尾冠２１の取付け及び取外しが繰り返されることに起因する係止突起２４及び凸条１４における必要以上の摩耗を回避することができる。
【００１３】
請求項５に係る発明は、請求項１ないし５いずれか１項に係る発明であって、図５に示すように、凹溝１３に連続する切り欠き１６が軸筒１１の後端１１ａに形成されたことを特徴とする。
この請求項５に記載された筆記具用尾冠の取付構造では、外部から視認することが困難な凹溝１３の位置を切り欠き１６により把握することができる。凹溝１３の幅を前方に向かって狭めれば、この切り欠き１６に係止突起２４を挿入することにより、前方に向かって幅が狭められた切り欠き１６により係止突起２４を比較的容易に凹溝１３に案内することができる。
【００１４】
請求項６に係る発明は、請求項５に係る発明であって、更に図６に示すように、係止突起２４が係止孔１２に係止した状態で軸筒１１の後端１１ａに前端５３ａが当接する大径部５３が挿入部５２と同軸にその挿入部５２に連続して形成され、大径部５３の前端５３ａが軸筒１１の後端１１ａに当接した状態で切り欠き１６を覆う覆い部５３ｂが大径部５３に形成されたことを特徴とする。
この請求項６に記載された筆記具用尾冠の取付構造では、係止突起２４が係止孔１２に係止した状態で大径部５３における覆い部５３ｂが切り欠き１６を覆うので、その切り欠き１６が外部に露出することを回避することができ、外観上の見栄えを向上させることができる。
【００１５】
請求項７に係る発明は、請求項１ないし６いずれか１項に係る発明であって、図２及び図６に示すように、係止突起２４を覆うクリップ２８又は５８が尾冠２１又は５１に設けられたことを特徴とする。
この請求項７に記載された筆記具用尾冠の取付構造では、係止突起２４が係止孔１２に係止した状態で、その係止突起２４とともに係止孔１２をクリップ２８又は５８が覆うので、係止孔１２が外部に露出することに起因する見栄えの悪化を防止することができる。
【発明の効果】
【００１６】
本発明の筆記具用尾冠の取付構造では、凹溝を前方に移動した係止突起が円周方向に移動して係止孔に係止するように係止孔を凹溝に隣接して形成したので、尾冠の挿入部を軸筒の後端より挿入して凹溝の内部で移動する係止突起を係止孔に隣接させ、その状態で係止突起を円周方向に移動させるだけの比較的簡単な作業で係止突起を係止孔に係止させることができる。一方、係止突起が係止孔に係止している状態から、係止突起を円周方向に逆方向に移動させればその係止突起は係止孔から凹溝に戻る。このため、比較的容易に係止突起が係止孔に係止している状態を解消させることができる。よって、尾冠の取付け及び取外しを比較的容易に行うことが可能になる。
また、係止突起を円周方向に移動させて係止孔に係止させ、逆方向の円周方向に係止突起を移動させてその係止状態を解消させるので、尾冠の取付け及び取外しを繰り返しても、係止孔の後面及び係止状態でその後面に面接触する係止突起の後端面が丸みを帯びるように変形することはない。このため、尾冠の取付け及び取外しを繰り返しても、尾冠の軸筒に取付ける強度が弱まるようなことはない。
【００１７】
そして、凹溝の係止孔側における側部底面に長手方向に伸びる凸条を形成し、係止突起が凸条を乗り越えて円周方向に移動するように構成すれば、その取付け及び取外しの際に必要な係止突起の円周方向への移動に対して節度感を持たせることができる。この場合、係止突起に凸条との接触を避ける低段部を係止突起に形成すれば、凸条が係止突起に当接して摩耗するような事態を回避することができる。そして、挿入部が円筒状である場合には、挿入部の前端から切り込みを後方に延びて形成すれば、係止突起が凸条を乗り越える時に加わる外圧等により円筒状の挿入部の外径を減少させることができ、凸条を乗り越える係止突起の移動を更に容易にすることができる。
【００１８】
また、前方に向かって幅が狭められて幅が狭められた前端が凹溝に連続する切り欠きを軸筒の後端に形成すれば、外部から視認することが困難な凹溝の位置を切り欠きにより把握することができ、この切り欠きに係止突起を挿入するようにすれば、前方に向かって幅が狭められた切り欠きにより係止突起を比較的容易に凹溝に案内することができる。そして、係止突起が係止孔に係止した状態で切り欠きを覆う覆い部を形成すれば、その切り欠きが外部に露出することを回避することができる。また、係止突起を覆うクリップを尾冠に設ければ、係止突起が係止孔に係止した状態で、その係止突起とともに係止孔をクリップが覆うので、係止孔が外部に露出することに起因する見栄えの悪化を防止することができる。
【発明を実施するための最良の形態】
【００１９】
次に本発明を実施するための最良の形態を図面に基づいて説明する。
図１及び図２に示すように、本発明の筆記具用尾冠の取付構造は、筆記具の軸筒１１における後部に尾冠２１を取付ける構造である。この軸筒１１は樹脂成型品であって、軸筒１１の後部は円筒状に形成され、その円筒状の後部周囲にはその後端１１ａから所定の間隔をあけて断面が方形状の係止孔１２が外部から筒内の空間に貫通するように形成される。
【００２０】
図２に示すように、この軸筒１１の後部に取付けられる尾冠２１は、その軸筒１１の後端１１ａより軸筒１１の後部に挿入される断面円形の挿入部２２と、その挿入部２２と同軸にその挿入部２２に連続してその挿入部２２と一体的に形成された大径部２３とを有する。この実施の形態における大径部２３は、その外径が軸筒１１の後部における外径と同径に形成され、挿入部２２が軸筒１１の後部に挿入された状態で大径部２３の前端２３ａが軸筒１１の後端１１ａに当接すると、その大径部２３の外周は軸筒１１の後部における外周となめらかに連続するように構成される。
【００２１】
尾冠２１における挿入部２２の外周には、大径部２３の前端２３ａが軸筒１１の後端１１ａに当接した状態で係止孔１２に挿入する係止突起２４が形成される。この係止突起２４は、後端面２４ａが挿入部２２の外周に対して直角に立ち上げられて形成され、この後端面２４ａが大径部２３の前端２３ａと所定の間隔をあけるように形成される。一方、係止突起２４の前端面２４ｃは後述する凹溝１３への挿入を容易にするために傾斜して形成され、この係止突起２４の円周方向の幅は、係止孔１２の円周方向の幅より僅かに小さく形成される。そして、この係止突起２４は、大径部２３の前端２３ａが軸筒１１の後端１１ａに当接した状態で、図２に示すように、その後端面２４ａが係止孔１２の前方に臨む後面１２ａに面接触することによりその係止孔１２に係止し、尾冠２１が軸筒１１に対して後方に移動することを防止するように構成される。
【００２２】
図１に示すように、尾冠２１における挿入部２２が挿入される軸筒１１の後部内面には、軸筒１１の後端１１ａより係止突起２４が内部で移動する凹溝１３が前方に延びて形成される。この凹溝１３は、係止突起２４をその内部において前方に移動させることによりその係止突起２４を係止孔１２に案内するものであって、この凹溝１３により案内された係止突起２４を係止孔１２に係止させることにより尾冠２１を軸筒１１に取付けるようになっている。本発明の特徴ある構成は、凹溝１３を前方に移動した係止突起２４が円周方向に移動して係止孔１２に係止するように係止孔１２が凹溝１３に隣接して形成されたところにある。
【００２３】
この実施の形態では、係止突起２４が前方に移動する限界のところまで凹溝１３が形成される。即ち、図２に示すように、尾冠２１における大径部２３の前端２３ａが軸筒１１の後端１１ａに当接した状態で、係止突起２４が図１に示す凹溝１３の前端に位置するようにその凹溝１３の長さが決定され、図１に示すように、その凹溝１３の前端に隣接して係止孔１２が形成される。また、凹溝１３の幅は係止突起２４の円周方向における幅より僅かに大きく形成され、凹溝１３の深さは係止突起２４の高さと同一であるか又は僅かに大きく形成される。
【００２４】
図１に示すように、凹溝１３の係止孔１２側における側部底面には、長手方向に伸びる凸条１４が形成される。図３及び図４に詳しく示すように、この凸条１４は、断面が半円状を形成し、係止突起２４は凹溝１３の内部に存在する図４に示す状態から、軸筒１１の中心軸を回転中心としてその軸筒１１を実線矢印で示す方向に回転させるか、或いはその中心軸を回転中心として尾冠２１の挿入部２２を破線矢印で示す方向に回転させることにより、係止突起２４は円周方向に移動してこの断面が半円状の凸条１４を乗り越えるように構成される。そして、凸条１４を乗り越えた係止突起２４は凹溝１３の前端から図３に示すように係止孔１２に進入して、図２に示すようにその係止孔１２に係止されるように構成される。
【００２５】
係止突起２４には、凹溝１３の内部に存在する図４に示す状態において凸条１４と対向する部分が低く形成されて低段部２４ｂが構成される。この低段部２４ｂはその高さが凸条１４との接触を避ける程度に低く形成される。また、係止突起２４には、係止孔１２に係止した図３に示す状態において凸条１４側の角部に面取り部２４ｄが形成される。そして、係止突起２４が係止孔１２に係止した図３に示す状態から、軸筒１１の中心軸を回転中心としてその軸筒１１を実線矢印で示す逆の方向に回転させるか、或いはその中心軸を回転中心として尾冠２１の挿入部２２を破線矢印で示す逆の方向に回転させることにより、係止突起２４は円周方向に逆方向に移動し、面取り部２４ｄに凸条１４が案内されて係止突起２４が凸条１４を乗り越えるように構成される。そして、凸条１４を乗り越えた係止突起２４は係止孔１２から凹溝１３に戻り、係止突起２４による係止孔１２への係止状態が解消されるように構成される。
【００２６】
図２に戻って、この実施の形態における尾冠２１はノック式のボールペンに用いられるものを例示しており、その挿入部２２は円筒状に形成される。このためこの尾冠２１には図示しない従来公知の回転カムが挿入されるものであり、この図示しない回転カムにはボールペンレフィールの後端が取付けられるようになっている。そして、尾冠２１における挿入部２２の後部には図示しない回転カムと係合するカム溝２６が形成される。このカム溝２６の構造は、従来公知の構造と同一のものであるので、ここにおける説明を省略する。
【００２７】
一方、この尾冠２１の円筒状に形成された挿入部２２には、その挿入部２２の前端２２ａからこの挿入部２２を縮径可能な切り込み２７が後方に延びて形成される。この実施の形態における切り込み２７は２カ所形成され、それぞれの切り込み２７の深さは、挿入部２２の前端２２ａから係止突起２４の後端面２４ａを超えるように形成される。そして、係止突起２４が凸条１４を乗り越える時に加わる外圧や、図４に示すように凹溝１３の深さが係止突起２４の高さより低く形成されたような場合等に切り込み２７の幅は狭められ、これにより円筒状の挿入部２２はその外径を減少させるように構成される。この結果、係止突起２４は凸条１４を比較的スムーズに乗り越えることができ、その係止突起２４が係止孔１２に進入した段階で弾性により切り込み２７の幅が拡大して円筒状の挿入部２２の外径は復元し、これにより係止突起２４は係止孔１２に確実に係止するように構成される。
【００２８】
図２に示すように、尾冠２１は筆記具に用いられるものであるので、尾冠２１の大径部２３には筆記具を背広のポケット等に止めるためのクリップ２８が形成される。この実施の形態における尾冠２１は樹脂成型品であって、挿入部２２と大径部２３とクリップ２８はその成型時に一体的に形成される。クリップ２８は後部が大径部２３に接続され、その前端が係止突起２４を越えるように挿入部２２に沿って形成される。クリップ２８の係止突起２４を越えた前端には、挿入部２２が挿入された軸筒１１の外表面に弾性により接触する膨出部２８ａが形成される。そして、図３に示すように、このクリップ２８の係止突起２４に対向する部分の幅は係止突起２４の幅よりも大きく形成され、これによりクリップ２８はその係止突起２４を覆うように尾冠２１に一体的に形成される。
【００２９】
このように構成された尾冠の取付構造では、凹溝１３を前方に移動した係止突起２４が円周方向に移動して係止孔１２に係止するように係止孔１２を凹溝１３に隣接して形成したので、図１の実線矢印で示すように、尾冠２１の挿入部２２を軸筒１１の後端１１ａより挿入し、係止突起２４を凹溝１３の内部で前方に移動させ、その後尾冠２１又は軸筒１１を回転させて係止突起２４を円周方向に移動させるだけの比較的簡単な作業で係止突起２４を係止孔１２に係止させることができる。
【００３０】
特にこの実施の形態では、尾冠２１における大径部２３の前端２３ａが軸筒１１の後端１１ａに当接した状態で、係止突起２４が凹溝１３の前端に位置するように形成し、その凹溝１３の前端に隣接して係止孔１２を形成したので、大径部２３の前端２３ａが軸筒１１の後端１１ａに当接した状態で、軸筒１１の中心軸を回転中心として尾冠２１又は軸筒１１を回転させることにより、係止突起２４を係止孔１２に係止させることができる。この結果、尾冠２１を軸筒１１に比較的容易に取付けることができる。
【００３１】
一方、図３に示すように、係止突起２４が係止孔１２に係止している状態から、軸筒１１の中心軸を回転中心として尾冠２１を逆方向に回転させると、係止突起２４は円周方向に逆方向に移動して係止孔１２から凹溝１３の内部に戻り、係止突起２４が係止孔１２に係止している状態を比較的容易に解消させることができる。よって、係止孔１２から凹溝１３の内部に係止突起２４が戻った図４に示す状態から、図１の破線矢印で示すように尾冠２１を後方に移動させると、係止突起２４は凹溝１３の内部で後方に移動し、尾冠２１を軸筒１１から比較的容易に取外すことができる。
【００３２】
してみると、この実施の形態で示すように、筆記具がボールペンであれば、図示しないボールペンレフィールを軸筒の後部から引き抜くことが可能になり、新たなボールペンレフィールを軸筒の後部から挿入することによりボールペンレフィールの交換を軸筒１１の後部から行うことが可能になる。この場合には、ボールペンレフィールの交換を行うために軸筒１１の前端に従来から取付けていた先具等のボールペンレフィールの交換用機能を不要とすることができる。そして、カム溝２６と係合する図示しない回転カムは尾冠２１とともに取外されるので、ボールペンレフィールの交換を行う際に図示しない回転カムが紛失するような事態を回避することができる。
【００３３】
ここで、本発明の取付構造では、係止突起２４を円周方向に移動させて係止孔１２に係止させ、逆方向の円周方向に移動させてその係止状態を解消させるので、従来のように係止突起を軸筒の内側に押し込んだ後に尾冠を軸筒の長手方向後方に移動させるようなことはしない。このため、従来のように係止突起が軸筒の内側に十分に押し込まれることなく尾冠が後方に移動させられるようなことはなく、本発明の取付構造では、尾冠の取付け及び取外しを繰り返しても、係止孔１２の後面１２ａ、及びその後面１２ａに面接触する係止突起２４の後端面２４ａが丸みを帯びるように変形することはない。よって、係止孔１２の後面１２ａ及び係止突起２４の後端面２４ａが変形することに起因して、尾冠２１を軸筒１１に取付ける強度が弱まるような事態を防止することができる。
【００３４】
また、凹溝１３の係止孔１２側における側部底面に長手方向に伸びる凸条１４を形成し、係止突起２４は凸条１４を乗り越えることにより凹溝１３から円周方向に移動して係止孔１２に係止し又はその係止状態を解消するように構成したので、その取付け及び取外しの際に必要な係止突起２４の円周方向への移動に対して節度感を持たせることができる。このため、係止突起２４を係止孔１２に係止させた図３に示す状態と、その係止状態を解消させた図４に示す状態を明確に区別させることができる。
【００３５】
また、係止突起２４に凸条１４との接触を避ける低段部２４ｂを形成したので、尾冠２１の取付け及び取外しの際に凹溝１３の内部を移動する係止突起２４に当接して凸条１４が摩耗するような事態を回避することができる。このため、取付け及び取外しのための係止突起２４の円周方向への移動を繰り返しても、その円周方向への移動に対する節度感が変化するような事態を回避することができる。そして、挿入部２２を円筒状に形成し、挿入部２２の前端２２ａから挿入部２２を縮径可能な切り込み２７を後方に延びて形成したので、係止突起２４が凸条１４を乗り越える時に加わる外圧等によりこの切り込み２７の幅は狭められ、これにより円筒状の挿入部２２の外径を減少させることができる。この結果、係止突起２４は凸条１４を比較的スムーズに乗り越えることができ、係止突起２４の円周方向の移動を比較的容易にするとともに、尾冠２１の取付け及び取外しが繰り返されることに起因する係止突起２４及び凸条１４双方が必要以上に摩耗するような事態を有効に回避することができる。更に、係止突起２４を覆うようにクリップ２８を尾冠２１に設けたので、係止突起２４が係止孔１２に係止した状態で、その係止突起２４とともに係止孔１２をクリップ２８が覆うので、係止孔１２が外部に露出することに起因する見栄えの悪化を防止することができる。
【００３６】
図５及び図６に本発明の別の実施の形態を示す。この実施の形態において、上述した実施の形態と同一符号は同一部品又は部材を示し、繰り返しての説明を省略する。
この実施の形態における軸筒１１は、その後部が円筒状に形成され、軸筒１１の後端１１ａより係止突起２４が移動する凹溝１３が前方に延びて軸筒１１の後部内面に形成される。そして、凹溝１３を前方に移動した係止突起２４が円周方向に移動することにより係止する係止孔１２が凹溝１３に隣接して軸筒１１の後部周囲に形成される。これらは上述した実施の形態のものと同一であるので、繰り返しての説明を省略する。そして、軸筒１１の後端１１ａには凹溝１３に連続する切り欠き１６が形成される。この切り欠き１６は前方に向かって幅が狭められるように形成され、切り欠き１６の幅が狭められた前端は凹溝１３の幅と同一になった時点でその凹溝１３になめらかに連続するように構成される。
【００３７】
一方、図６に示すように、尾冠５１は挿入部５２と大径部５３とクリップ５８がそれぞれ別々に形成され、挿入部５２と大径部５３は樹脂成型品により作られる。挿入部５２は円筒状に形成され、この挿入部５２に係止突起２４、カム溝２６及び切り込み２７が形成される。これらは上述した実施の形態のものと同一であるので、繰り返しての説明を省略する。
【００３８】
大径部５３の前部には挿入部５２の後部が挿着され、これにより大径部５３は挿入部５２と同軸にその挿入部２２の後部に連続して形成される。大径部５３の外径は、軸筒１１の後部における外径より大きくなるように形成され、係止突起２４が係止孔１２に係止した状態で軸筒１１の後端１１ａに当接するようにその前端５３ａが形成される。そして、その大径部５３の前端５３ａが軸筒１１の後端１１ａに当接した状態で切り欠き１６を挿入部５２の外周とともに挟み込み、その切り欠き１６を覆う覆い部５３ｂが大径部５３に形成される。
【００３９】
係止突起２４の後方における大径部５３には隆起した先端が前方に向かう隆起部５３ｃが形成され、この隆起部５３ｃの前方に向かう先端にクリップ５８の後部が装着される。このクリップ５８は金属から作られ、このクリップ５８の係止突起２４に対向する部分の幅は係止突起２４の幅よりも大きく形成され、これによりクリップ５８はその係止突起２４を覆うように尾冠５１に設けられる。一方、図５に示すように、係止突起２４を越えたクリップ５８の先端は切り欠き１６に相応して形成され、クリップ５８の先端をその切り欠き１６に合致させると、その切り欠き１６に連続する凹溝１３の後方にそのクリップ５８が覆う係止突起２４を位置させるように構成される。
【００４０】
このように構成された筆記具用尾冠の取付構造では、先の実施の形態で述べた作用及び効果の他に、以下に示すような作用及び効果を生じさせることができる。
即ち、この実施の形態では、前端が凹溝１３に連続する切り欠き１６を軸筒１１の後端１１ａに形成したので、外部から視認することが困難な凹溝１３の位置を切り欠き１６により把握することができる。この切り欠き１６は前方に向かって幅が狭められているので、この切り欠き１６に係止突起２４を挿入するようにすれば、前方に向かって幅が狭められた切り欠き１６における両側の傾斜により係止突起２４を比較的容易に凹溝１３に案内することができる。特にこの実施の形態では、軸筒１１に沿って係止突起２４を覆うクリップ５８を尾冠５１に設け、そのクリップ５８の先端を切り欠き１６に相応して形成しているので、クリップ５８の先端をその切り欠き１６に合致させると、その切り欠き１６に連続する凹溝１３の後方にそのクリップ５８が覆う係止突起２４を位置させることになる。このため、クリップ５８の先端をその切り欠き１６に合致させた状態で尾冠５１を前方に移動させるだけの比較的単純な作業により、係止突起２４を確実に凹溝１３に案内することが可能になる。
【００４１】
そして、係止突起２４が係止孔１２に係止した状態で切り欠き１６を覆う覆い部５３ｂを大径部５３に形成したので、その切り欠き１６が外部に露出することを回避することができ、外観上の見栄えを向上させることができる。また、係止突起２４を覆うようにクリップ５８を尾冠５１に設けたので、係止突起２４が係止孔１２に係止した状態で、その係止突起２４とともに係止孔１２をクリップ５８が覆うことになり、係止孔１２が外部に露出することに起因する見栄えの悪化を防止することができる。
【００４２】
なお、上述した実施の形態では、筆記具であるノック式のボールペンに用いられる尾冠２１又は５１を軸筒１１に取付ける構造を説明したが、本発明の取付構造を筆記具であるシャープペンシルに適用しても良い。そして、本発明の取付構造をシャープペンシルに適用すれば、軸筒の後部に取付けられた尾冠をその後部から取外して、換え芯の供給を軸筒の後部から行うようなことが可能になる。
【図面の簡単な説明】
【００４３】
【図１】本発明実施形態の筆記具用尾冠の取付構造を示す分解斜視図である。
【図２】その取付構造を有する筆記具の尾冠周囲における縦断面図である。
【図３】図２のＡ−Ａ線断面図である。
【図４】その係止突起が凹溝の前端に位置する状態を示す図３に対応する断面図である。
【図５】本発明の別の実施形態の筆記具用尾冠の取付構造を示す分解斜視図である。
【図６】その取付構造を有する筆記具の尾冠周囲における縦断面図である。
【符号の説明】
【００４４】
１１  軸筒
１１ａ  後端
１２  係止孔
１３  凹溝
１４  凸条
１６  切り欠き
２１，５１  尾冠
２２，５２  挿入部
２４  係止突起
２４ｂ  低段部
２７  切り込み
２８，５８  クリップ
５３  大径部
５３ａ  前端
５３ｂ  覆い部
【図１】
2008093843.tif 000003
【図２】
2008093843.tif 000004
【図３】
2008093843.tif 000005
【図４】
2008093843.tif 000006
【図５】
2008093843.tif 000007
【図６】
2008093843.tif 000008